(57)【要約】【課題】  美容改善の効果を直ぐに実感することができ、高齢者の美容意識を満足させうる美容補助眼鏡を提供する。【解決手段】  本考案に係る美容補助眼鏡１は、左右の蔓２のそれぞれ内側に、プラスチックやゴム、木材、ポリウレタン等の硬質部材で構成されている美容補助具１０を備えており、美容補助具１０が、使用者が美容補助眼鏡１を掛けたときに使用者のこめかみ近傍の皮膚に当接して、こめかみ近傍の皮膚を上方向に押し上げて、目尻や頬のしわやたるみを少なくする。【選択図】        図１
0003129651.tif 000002
【実用新案登録請求の範囲】
【請求項１】
左右の蔓のそれぞれ内側に、眼鏡を掛けたときに使用者のこめかみ近傍の皮膚に当接する硬質部材からなる美容補助具を備えた
ことを特徴とする美容補助眼鏡。
【請求項２】
左右の蔓のそれぞれ一部を内側に屈曲させて形成された屈曲部を備え、
前記屈曲部が、眼鏡を掛けたときに使用者のこめかみ近傍の皮膚に当接する
ことを特徴とする美容補助眼鏡。
【請求項３】
硬質部材からなり、
眼鏡の左右の蔓の内側の、眼鏡を掛けたときに使用者のこめかみ近傍の皮膚に当接する位置に着脱自在に取り付けられる
ことを特徴とする美容補助具。
【考案の詳細な説明】
【技術分野】
【０００１】
本考案は、眼鏡に関し、特に、高齢者の美容意識を満足させる美容補助眼鏡に関する。
【背景技術】
【０００２】
男女を問わず年齢を重ねると、皮膚がたるみ、皺が増える。若々しい容貌を維持したいというのは、多くの高齢者の願望であり、総人口における高齢者の占める割合の増加が予想されていることから、このような美容に対する高齢者の要求も増加すると考えられる。
この点、芸能や演芸などの分野においては、メークアップを行う際に、セロハンテープなどを用いて、顔面の皮膚を所定の方向に引っ張ることや頭頂を起点として頭髪を引き上げることで一時的に容貌を変化させる手法が知られている。
また、外科的手段を用いて、皮膚の部分的切除や脂肪吸引、或いは、皮下へのシリコン剤の注入などを行って、容貌を長期的に変形させる手法も存在する。
しかしながら、このような手法は、日常生活において容易に用いられるものではない。
一方、高齢になると、個人差があるものの視力が低下し、眼鏡を使用する機会が増える。そこで、めがね構造体に磁石を複数保持させ、顔面の目の周りのしわ部に磁石を当てることで磁気波の浸透により皮膚細胞を活性化させ、血行を促進、疲労物質を排除してしわ部を改善する磁石美容具なるものが、特許文献１に開示されている。
【特許文献１】特開２００５−３１９２５７号公報
【考案の開示】
【考案が解決しようとする課題】
【０００３】
しかしながら、上記の磁石美容具では、磁石体をしわ部に当てても、直ぐに血行が促進されることはなく、長時間にわたって眼鏡をかけていなければ、その効果を実感することは困難であるという問題がある。
また、磁石美容具を保持させるために専用の眼鏡フレームが必要になり、使用に際しては眼鏡フレームを取り替えなければならないという問題もある。
そこで、本考案は、上記問題点に鑑みなされたものであり、即効性が高く高齢者の美容意識を満足させうる美容補助眼鏡を提供することを目的とする。また、種々の眼鏡に汎用可能な美容補助具を提供することを目的とする。
【課題を解決するための手段】
【０００４】
上記目的を達成するために、本考案に係る美容補助眼鏡は、左右の蔓のそれぞれ内側に、眼鏡を掛けたときに使用者のこめかみ近傍の皮膚に当接する硬質部材からなる美容補助具を備えたことを特徴とする。
これによって、眼鏡を掛けたときに、蔓に取り付けられた美容補助具がこめかみ近傍の皮膚を上方向に押し上げて、目尻や頬のしわやたるみを少なくするので、美容改善の効果を直ぐに実感することができ、高齢者の美容意識を満足させうる美容補助眼鏡を実現することができる。
また、本考案に係る美容補助眼鏡は、左右の蔓のそれぞれ一部を内側に屈曲させて形成された屈曲部を備え、前記屈曲部が、眼鏡を掛けたときに使用者のこめかみ近傍の皮膚に当接するとしてもよい。
また、上記目的を達成するために、本考案に係る美容補助具は、硬質部材からなり、眼鏡の左右の蔓の内側の、眼鏡を掛けたときに使用者のこめかみ近傍の皮膚に当接する位置に着脱自在に取り付けられることを特徴とする。
これによって、種々の眼鏡に適用可能となるので、汎用性に優れた美容補助具を実現することができる。
【考案の効果】
【０００５】
以上説明したように、本考案に係る美容補助眼鏡によれば、蔓に取り付けられた美容補助具又は蔓の屈曲部が使用者のこめかみ近傍の皮膚を上方に押し上げることに伴って、目尻や頬のしわやたるみも引っ張り上げられるので、しわやたるみが少なくなって、若々しく見えるようになり、美容改善の即効性を実感することができるとともに、高齢者の美容意識を満足させることができる。また、美容補助具を摺動可能とすることで、皮膚を押し上げる位置の調整が可能となり、個人差又は眼鏡の個体差に応じて最適な美容補助効果を奏する美容補助眼鏡が実現されることとなる。
また、本考案に係る美容補助具によれば、蔓に着脱自在となっているので、汎用性に優れ、種々の眼鏡に適用できる美容補助具が実現される。
【考案を実施するための最良の形態】
【０００６】
以下、本考案を実施するための最良の形態について図面を参照しながら説明する。
（実施の形態１）
図１は、本考案の実施の形態１に係る美容補助眼鏡を示す斜視図である。
図１に示すように、美容補助眼鏡１は、左右の蔓２のそれぞれ内側に、使用者が美容補助眼鏡１をかけたときに使用者のこめかみ近傍の皮膚に当接する美容補助具１０を備えている。蔓２に取り付けられた美容補助具１０は、使用者が美容補助眼鏡１をかけたときに使用者のこめかみ近傍の皮膚を圧迫して、皮膚を上方向に引っ張り上げる作用を奏する。なお、こめかみ近傍とは、頬骨のやや上の部分、より具体的には、使用者が美容補助眼鏡１をかけた際に蔓２の位置する高さであって、目尻より１ｃｍ以上後方、かつ、耳の付け根よりも前方の部分をいう。
この美容補助具１０は、全体がプラスチックやゴム、木材、ポリウレタン等の硬質部材で構成されており、中央に孔が形成されて、蔓２の先端から嵌合されて蔓２に取り付けられる。なお、美容補助具１０は、蔓２に固定されるとしてもよいが、前後に摺動可能とするのが好ましく、着脱自在にするのがより好ましい。
図２は、美容補助具１０の作用を説明するための図である。
図２の左方は、美容補助具１０が取り付けられていない眼鏡を使用した場合を示しており、図２の右方は、美容補助眼鏡１を使用した場合を示している。図２の左方では、頬のしわＲが太く、頬のたるみＴが大きいのに対して、図２の右方では、しわＲが細くなり、たるみＴが小さくなっている。こめかみ近傍に当接する美容補助具１０を皮膚に押し付けて、上方向へ引っ張り上げるようにして美容補助眼鏡１をかけると、こめかみ近傍の皮膚Ｂは上方向に押し上げられる。皮膚Ｂが押し上げられると、目尻のしわや頬のしわＲ、たるみＴも共に上方向へ押し上げられ、外観上しわやたるみが少なくなり、図２に示すような美容改善が図られることとなる。
図３は、美容補助具１０の使用者の皮膚と接する面の構成例を示す図である。
図３（ａ）は、美容補助具１０の皮膚Ｓと接する面に、布や皮革などのシート１１を貼り付けた構成を示している。このシート１１は、毛先が上方向を向いている起毛１２を備えており、起毛１２と皮膚Ｓとが当接することによって、皮膚Ｓの垂れ下がりの抑止効果を高めることができる。
図３（ｂ）は、美容補助具１０の皮膚Ｓと接する面に、鋸状の溝を形成した構成を示している。このような構成とすることで、歯１３が皮膚Ｓと接触して摩擦係数が大きくなり、皮膚Ｓが垂れ下がることを効果的に抑止することが可能となる。
図３（ｃ）は、美容補助具１０の皮膚Ｓと接する面に、軟質のプラスチックやゴム等のシート１４を貼り付けた構成を示している。このような構成とすることで、美容補助具１０の接する皮膚Ｓに短い毛髪が生えている場合に、皮膚Ｓの垂下抑止効果を増大させることが可能となる。
図４は、美容補助具の他の構成例を示す図である。
図４（ａ）に示すように、美容補助具１０ａを円筒形に構成して、美容補助具１０ａが当接する皮膚にソフトな触感を与えるようにしてもよい。
また、図４（ｂ）に示すように、美容補助具１０ｂを鉤状に構成して、蔓２に引っ掛けて取り付けるようにしてもよい。
このように、本実施の形態１に係る美容補助眼鏡によれば、眼鏡を掛けたときに、蔓に取り付けられた美容補助具がこめかみ近傍の皮膚を上方向に押し上げて、目尻や頬のしわやたるみを少なくするので、美容改善の効果を直ぐに実感することができる。
また、美容補助具を摺動可能とすれば、各人に適した位置に調整をすることができるようになり、美容補助具を着脱可能とすれば、種々の眼鏡に適用でき、汎用性に優れたものとなる。
さらに、美容補助具の皮膚と接する面にシートや鋸状の溝を形成すれば、皮膚の垂れ下がりの抑止効果がより優れたものとなる。
（実施の形態２）
図５は、本考案の実施の形態２に係る美容補助眼鏡の斜視図である。
図５に示すように、美容補助眼鏡３は、使用者が美容補助眼鏡１をかけたときに使用者のこめかみ近傍の皮膚に当接するように蔓４を内側に屈曲させた屈曲部１５を備えている。この屈曲部１５は、上記実施の形態１の美容補助具と同様の作用を奏するので、以下の説明は省略する。
本実施の形態２に係る美容補助眼鏡３によっても、眼鏡を掛けたときに、蔓４の一部を屈曲させて形成した屈曲部がこめかみ近傍の皮膚を押し上げて、目尻や頬のしわやたるみを少なくすることが可能であり、美容改善の即効性の高い眼鏡を実現することができる。
以上、本考案に係る高齢者用美容補助具又は美容補助眼鏡について各実施の形態に基づいて説明したが、本考案は、これらの実施の形態に限定されるものではなく、その範囲を逸脱することなく本考案の趣旨に沿って様々の変形または修正が可能であることはいうまでもない。
例えば、上記実施の形態１では、美容補助具の形状を方形や円筒形を図示したが、例えば三角形などの形状であってもよく、デザインを考慮して種々の形状を採用することが可能である。
また、美容補助具を蔓に取り付ける方法として、美容補助具を蔓に嵌合したり、引っ掛けたりすることを例示したが、美容補助具を蔓に固定ないし着脱可能であれば、粘着等その他の方法でもよいことはいうまでもない。
さらに、上記実施の形態２では、屈曲部の形状をコの字状として図示したが、眼鏡全体のデザインを考慮して、Ω状や山型状に構成してもよい。
【産業上の利用可能性】
【０００７】
本考案に係る美容補助眼鏡は高齢者用の眼鏡として有用であり、本考案に係る美容補助具は高齢者用眼鏡のアタッチメントとして有用である。
【図面の簡単な説明】
【０００８】
【図１】実施の形態１に係る美容補助眼鏡を示す斜視図である。
【図２】美容補助具の作用を説明するための図である。
【図３】美容補助具の使用者の皮膚と接する面の構成例を示す図である。
【図４】美容補助具の他の構成例を示す図である。
【図５】実施の形態２に係る美容補助眼鏡を示す斜視図である。
【符号の説明】
【０００９】
１、３    美容補助眼鏡
２、４    蔓
１０、１０ａ、１０ｂ    美容補助具
１１、１４    シート
１２    毛
１３    歯
１５    屈曲部
【図１】
0003129651.tif 000003
【図２】
0003129651.tif 000004
【図３】
0003129651.tif 000005
【図４】
0003129651.tif 000006
【図５】
0003129651.tif 000007